(57)【特許請求の範囲】
【請求項１】
送信先を受け付ける受付手段と、
前記受付手段により受け付けられた前記送信先に対し画像データを送信するための処理を行う送信処理手段と、
使用者を認証する認証手段と、
前記画像データの送信のための処理が中断されたときに、この処理が中断されたことを前記送信先に通知する方法を、前記認証される使用者ごとに登録する登録手段と、
第１の使用者に関連する前記画像データが送信されている間に、前記第１の使用者以外の第２の使用者が認証されたときに、前記第１の使用者に関連する画像データの送信のための処理を中断する中断手段と、
前記第２の使用者に登録された方法に従って、前記中断された送信のための処理の送信先に、前記送信が中断されたことを通知する通知手段と
を有する画像データ送信装置。
【請求項２】
前記送信処理手段により処理された画像データを記憶する処理後画像データ記憶手段
を有し、
前記通知手段は、前記処理後記憶手段により記憶された画像データを前記送信処理手段により送信する場合に、送信が中断されたことを通知する
請求項１に記載の画像データ送信装置。
【請求項３】
前記通知手段による通知の完了後、前記処理後画像データ記憶手段により記憶された画像データを削除する画像データ削除手段
をさらに有する請求項２に記載の画像データ送信装置。
【請求項４】
前記通知手段による通知の完了後、前記画像データを使用者に関連付けて記憶する通知後画像データ記憶手段
をさらに有し、
前記送信処理手段は、前記認証手段によりこの使用者が再度認証された場合に、前記通知後画像データ記憶手段により記憶され、この使用者に関連づけられた画像データを送信する
請求項１に記載の画像データ送信装置。
【請求項５】
前記送信処理手段は、前記処理後記憶手段により記憶された画像データを送信する場合に、前記処理後記憶手段により記憶された画像データに、送信が中断されたことを示すデータが付加された画像データを送信する
請求項２に記載の画像データ送信装置。
【請求項６】
前記送信処理手段は、前記処理後記憶手段により記憶された画像データを送信する場合に、前記処理後記憶手段により記憶された画像データから作成された縮小イメージデータを送信する
請求項２に記載の画像データ送信装置。
【請求項７】
送信先を受け付けるステップと、
前記受付手段により受け付けられた前記送信先に対し画像データを送信するための処理を行うステップと、
使用者を認証するステップと、
前記画像データの送信のための処理が中断されたときに、この処理が中断されたことを前記送信先に通知する方法を、前記認証される使用者ごとに登録するステップと、
第１の使用者に関連する前記画像データが送信されている間に、前記第１の使用者以外の第２の使用者が認証されたときに、前記第１の使用者に関連する画像データの送信のための処理を中断するステップと、
前記第２の使用者に登録された方法に従って、前記中断された送信のための処理の送信先に、前記送信が中断されたことを通知するステップと
をコンピュータに実行させるプログラム。
【発明の詳細な説明】
【技術分野】
【０００１】
本発明は、画像データ送信装置およびプログラムに関する。
【背景技術】
【０００２】
特許文献１は、認証中に実施した処理が予め決められた時間以上かかる場合、処理を自動的に中断し、その旨をその処理の生成者に対して通知する装置を開示する。
【０００３】
特許文献２は、認証中に実施した処理が予め決められた時間以上かかる場合、その処理の生産者が承認している場合には、処理を自動的に中断し、その旨をその処理の生成者に対して通知する装置を開示する。
【先行技術文献】
【特許文献】
【０００４】
【特許文献１】特開２００８−２６３３９６号公報
【特許文献２】特開２００８−２６３３９７号公報
【発明の概要】
【発明が解決しようとする課題】
【０００５】
本発明は、送信先に送信元の停止状態を知らせることができる画像データ送信装置およびプログラムを提供することを目的とする。
【課題を解決するための手段】
【０００６】
請求項１に係る本発明は、送信先を受付ける受付手段と、前記受付手段により受付られた前記送信先に対し画像データを送信するための処理を行う送信処理手段と、前記送信処理手段による画像データを送信するための処理が中断された場合、前記送信先に送信が中断されたことを通知する通知手段とを有する画像データ送信装置である。
【０００７】
請求項２に係る本発明は、前記送信処理手段により処理された画像データを記憶する処理後画像データ記憶手段を有し、前記通知手段は、前記処理後記憶手段により記憶された画像データを前記送信処理手段により送信する場合に、送信が中断されたことを通知する請求項１に記載の画像データ送信装置である。
【０００８】
請求項３に係る本発明は、前記通知手段による通知の完了後、前記処理後画像データ記憶手段により記憶された画像データを削除する画像データ削除手段をさらに有する請求項２に記載の画像データ送信装置である。
【０００９】
請求項４に係る本発明は、使用者を認証する認証手段をさらに有し、前記認証手段により使用者が認証された場合に、前記送信処理手段による画像データの送信が中断される請求項１〜３のいずれかに記載の画像データ送信装置である。
【００１０】
請求項５に係る本発明は、前記通知手段による通知の完了後、前記画像データを使用者に関連付けて記憶する通知後画像データ記憶手段をさらに有し、前記送信処理手段は、前記認証手段によりこの使用者が再度認証された場合に、前記通知後画像データ記憶手段により記憶され、この使用者に関連づけられた画像データを送信する請求項４に記載の画像データ送信装置である。
【００１１】
請求項６に係る本発明は、前記送信処理手段は、前記処理後記憶手段により記憶された画像データを送信する場合に、前記処理後記憶手段により記憶された画像データに、送信が中断されたことを示すデータが付加された画像データを送信する請求項２に記載の画像データ送信装置である。
【００１２】
請求項７に係る本発明は、前記送信処理手段は、前記処理後記憶手段により記憶された画像データを送信する場合に、前記処理後記憶手段により記憶された画像データから作成された縮小イメージデータを送信する請求項２に記載の画像データ送信装置である。
【００１３】
請求項８に係る本発明は、送信先を受付ける受付ステップと、前記受付ステップにより受付られた前記送信先に対し画像データを送信するための処理を行う送信処理ステップと、前記送信処理ステップによる画像データを送信するための処理が中断された場合、前記送信先に送信が中断されたことを通知する通知ステップとをコンピュータに実行させるプログラムである。
【発明の効果】
【００１４】
請求項１に係る本発明によれば、画像データを送信するための処理が中断された場合、送信先に送信が中断されたことを通知することができる。
【００１５】
請求項２に係る本発明によれば、請求項１に係る発明により得られる効果に加えて、送信が中断されるまでに処理された画像データを送信することができる。
【００１６】
請求項３に係る本発明によれば、請求項２に係る発明により得られる効果に加えて、記憶領域を再利用することができる。
【００１７】
請求項４に係る本発明によれば、請求項１〜３のいずれかに係る発明により得られる効果に加えて、使用者が認証された場合に、画像データの送信を中断することができる。
【００１８】
請求項５に係る本発明によれば、請求項４に係る発明により得られる効果に加えて、使用者が再度認証された場合に、この使用者に関連づけられて記憶されていた画像データを送信することができる。
【００１９】
請求項６に係る本発明によれば、請求項２に係る発明により得られる効果に加えて、送信先に送信が中断されたことを分かりやすく通知することができる。
【００２０】
請求項７に係る本発明によれば、請求項２に係る発明により得られる効果に加えて、用紙を節約することができる。
【００２１】
請求項８に係る本発明によれば、画像データを送信するための処理が中断された場合、送信先に送信が中断されたことを通知することができる。
【図面の簡単な説明】
【００２２】
【図１】本発明にかかる画像送受信システムの構成を例示する図である。
【図２】図１に示した画像送信装置、画像受信装置のハードウェア構成を例示する図である。
【図３】画像送信装置により実行される画像送信プログラムの構成を示す図である。
【図４】処理内容記憶部が記憶する処理内容情報を例示する図である。
【図５】第１の通知プログラムの構成を示す図である。
【図６】第２の通知プログラムの構成を示す図である。
【図７】第３の通知プログラムの構成を示す図である。
【図８】図３に示した画像送信プログラムの処理（Ｓ１０）を示すフローチャートである。
【図９】図５に示した第１の通知プログラムの処理（Ｓ２０）を示すフローチャートである。
【図１０】図６に示した第２の通知プログラムの処理（Ｓ３０）を示すフローチャートである。
【図１１】図７に示した第３の通知プログラムの処理（Ｓ４０）を示すフローチャートである。
【発明を実施するための形態】
【００２３】
［第１の実施形態］
以下、本発明に係る画像送受信システム１を説明する。
図１は、本発明にかかる画像送受信システム１の構成を例示する図である。
図１に示すように、画像送受信システム１は、公衆回線網、インターネット網等の通信回線網１００を介して相互に接続された画像送信装置１０、画像受信装置１２および画像受信装置１４から構成される。
なお、以下の各図において、実質的に同じ構成部分・処理には、同じ符号が付される。
【００２４】
画像送受信装置１０は、スキャナ等の画像読み取り装置により読み取られた原稿の画像データを、ファクシミリ機能を用いて、通信回線網１００を介して通信相手の画像受信装置１２に送信する。
また、画像送受信装置１０は、スキャナ等の画像読み取り装置により読み取られた原稿の画像データを、電子メールを用いて、通信回線網１００を介して通信相手の画像受信装置１４に送信する。
画像受信装置１２は、画像送信装置１０からファクシミリ機能を用いて送信された画像データを、通信回線網１００を介して受信する。
画像受信装置１４は、画像送信装置１０から送信された電子メールに添付された画像データを、通信回線網１００を介して受信する。
画像送信装置１０、画像受信装置１２の具体的な例としては、ファクシミリ機能、電子メール送信機能および複写機能を有するプリンタなどの様々な形態が存在する。
画像受信装置１４の具体的な例としては、電子メール送受信機能を有するコンピュータなどの様々な形態が存在する。
【００２５】
［ハードウェア構成］
図２は、図１に示した画像送信装置１０、画像受信装置１２および画像受信装置１４のハードウェア構成を例示する図である。
図２に示すように、画像送信装置１０および画像受信装置１２は、ＣＰＵ(Central Processing Unit)１０２、メモリ１０４、ハードディスクドライブ（ＨＤＤ）等の記憶装置１０６、外部のコンピュータなどとデータの送信および受信を行う通信装置１０８、タッチパネル、または、液晶ディスプレイおよびキーボードを含む外部入出力装置１１０、画像を読み取って読取画像データをＣＰＵ１０２に対して出力する例えばスキャナ等の読取装置１１２を有する。
これらの構成要素は、バス１１４を介して互いに接続されている。
画像受信装置１４は、ＣＰＵ１０２、メモリ１０４、記憶装置１０６、通信装置１０８および外部入出力装置１１０を有する。
【００２６】
［画像送信プログラム２］
図３は、画像送信装置１０により実行される画像送信プログラム２の構成を示す図である。
図３に示すように、画像送信プログラム２は、画面制御部２００、認証画面表示部２０２、宛先表示部２０４、送信画面表示部２０６、送信命令受入部２０８、設定画面表示部２１０、設定記憶部２１２、認証部２２０、関連付け部２２２、処理内容記憶部２２４、送信制御部２３０、送信部２３２、画像処理プログラム３および通知プログラム４から構成される。
画像処理プログラム３は、画像読取部３００、画像処理部３０２および画像記憶部３０４から構成される。
通知プログラム４は、第１の通知プログラム４０、第２の通知プログラム４２および第３の通知プログラム４８から構成される。
画像送信プログラム２は、例えば、メモリ１０４に記憶されて画像送信装置１０に供給され、画像送信装置１０のＯＳ（図示せず）上で、画像送信装置１０のハードウェア資源を具体的に利用して実行される（以下の各プログラムについても同様）。
画像送信プログラム２は、これらの構成により、画像受信装置１２および画像受信装置１４に対して画像を送信する。
【００２７】
画面制御部２００は、認証画面表示部２０２から入力された使用者を認証するための認証画面を、外部入出力装置１１０に表示する。
また、画面制御部２００は、使用者により入力されたパスワードなどの使用者認証情報を、認証部２２０に対して出力する。
また、画面制御部２００は、送信画面表示部２０６から入力された画像を送信するための操作画面（送信画面）を、外部入出力装置１１０に表示する。
また、画面制御部２００は、宛先表示部２０４から入力された宛先を選択するための画面（宛先選択画面）を、外部入出力装置１１０に表示する。
また、画面制御部２００は、使用者により選択された宛先情報および送信開始などの命令情報を受け入れ、送信命令受入部２０８に対して出力する。
また、画面制御部２００は、設定画面表示部２１０から入力された送信処理が中断した場合の通知モードを設定するための画面（通知モード設定画面）を、外部入出力装置１１０に表示する。
また、画面制御部２００は、使用者により選択された通知モードを、設定記憶部２１２に対して出力する。
【００２８】
認証画面表示部２０２は、使用者を認証するための認証画面を、画面制御部２００に対して出力する。
上記認証画面は、例えば、パスワード入力画面などである。
宛先表示部２０４は、宛先選択画面を、画面制御部２００に対して出力する。
送信画面表示部２０６は、送信画面を、画面制御部２００に対して出力する。
送信命令受入部２０８は、画面制御部２００から入力された宛先情報および送信開始などの命令情報を関連付け部２２２に対して出力する。
【００２９】
設定画面表示部２１０は、通知モード設定画面を、画面制御部２００に対して出力する。
設定記憶部２１２は、画面制御部２００から入力された通知モードを、使用者毎に記憶する。
なお、通知モードは、送信処理が中断した場合に送信先の使用者（宛先）に通知を行う方法を示す。
認証部２２０は、画面制御部２００から入力されたパスワードなどの認証情報に基づいて使用者を認証し、認証が成功した場合には、認証使用者の情報を、関連付け部２２２および送信制御部２３０に対して出力する。
なお、上述のパスワードは、認証情報の一例であり、認証部２２０は、ＩＣカードおよび指紋などの他の認証情報に基づいて、使用者を認証してもよい。
【００３０】
送信制御部２３０は、認証部２２０から入力された認証使用者の情報に基づいて、送信部２３２、画像処理プログラム３および通知プログラム４を制御する。
具体的には、送信制御部２３０は、処理内容記憶部２２４に記憶されている処理内容を参照し、画像送信プログラム２が認証使用者と異なる使用者の処理を行っていると判断した場合には、送信部２３２および画像処理プログラム３に処理を停止させ、通知プログラム４を起動する。
なお、送信制御部２３０は、通知プログラム４を起動する場合には、設定記憶部２１２を参照し、使用者毎に設定されている通知モードに応じて、第１の通知プログラム４０、第２の通知プログラム４２および第３の通知プログラム４８のいずれかを起動する。
また、送信制御部２３０は、処理内容記憶部２２４に記憶されている情報を参照し、認証使用者に関連付けられている処理が記憶されている場合には、送信部２３２および画像処理プログラム３を実行させ、送信処理を行わせる。
また、送信制御部２３０は、処理内容記憶部２２４に記憶されている処理情報（図４を参照して後述）を、処理状態に応じて更新する。
また、送信制御部２３０は、送信部２３２、第１の通知プログラム４０および第２の通知プログラム４２から処理が完了した旨の通知を受けた場合には、処理内容記憶部２２４に記憶されている処理情報のうち、その処理を実行した使用者に関連付けられた処理情報を削除する。
また、送信制御部２３０は、第３の通知プログラム４８から処理が完了した旨の通知を受けた場合には、処理内容記憶部２２４に記憶されている処理情報のうち、その処理を実行した使用者に関連付けられた処理情報を削除しない。
【００３１】
関連付け部２２２は、送信命令受入部２０８から入力された宛先情報および送信開始などの命令情報と、認証部２２０から入力された認証使用者の情報と、画像処理プログラム３から入力された送信対象の画像データ情報とを関連づけて、処理内容記憶部２２４に対して出力する。
具体的には、関連付け部２２２は、認証使用者と、宛先情報と、ファクシミリ機能送信または電子メール送信などを示す処理内容と、送信対象の画像データ情報とを関連づけて、処理内容記憶部２２４に対して出力する。
【００３２】
図４は、処理内容記憶部２２４が記憶する処理内容情報を例示する図である。
図４に示すように、処理内容記憶部２２４は、関連付け部２２２から入力された認証使用者に関連付けられた宛先情報、処理内容および画像情報を記憶する。
また、処理内容記憶部２２４は、認証使用者に関連付けられた処理内容の状態（ステータス情報）を記憶する。
具体的には、ステータス情報は、図４に示すように、「送信中」および「保留中」などであり、送信制御部２３０により、更新される。
送信部２３２は、送信制御部２３０の制御に従って、処理内容記憶部２２４に記憶された情報に基づいて、画像処理プログラム３の画像記憶部３０４に記憶された画像データを、通信装置１０８を介して画像受信装置１２および画像受信装置１４に対して送信する。
また、送信部２３２は、送信処理が完了した場合には、送信制御部２３０に対してその旨を通知する。
また、送信部２３２は、通知プログラム４から入力された通知データを、通信装置１０８を介して画像受信装置１２および画像受信装置１４に対して送信する。
【００３３】
［画像処理プログラム３］
画像処理プログラム３の画像読取部３００は、送信制御部２３０からの制御に従い、スキャナなどの読取装置１１２から入力された画像データを読み取り、画像処理部３０２に対して出力する。
画像処理部３０２は、画像読取部３００から入力された画像データに対して、フィルタ処理および２値化処理などの画像処理を行い、画像記憶部３０４に対して出力する。
画像記憶部３０４は、画像処理部３０２から入力された画像処理が施された画像データを送信対象の画像データとして記憶し、送信制御部２３０からの制御に従い、送信部２３２に対して出力する。
また、画像記憶部３０４は、送信対象の画像データ情報を、関連付け部２２２に対して出力する。
【００３４】
［通知プログラム４］
通知プログラム４は、上述したように第１の通知プログラム４０、第２の通知プログラム４２および第３の通知プログラム４８から構成され、送信制御部２３０により起動される。
【００３５】
まず、第１の通知プログラム４０を、図５を参照して説明する。
図５は、第１の通知プログラム４０の構成を示す図である。
図５に示すように、第１の通知プログラム４０は、制御部４００、通知ページ作成部４０２、電子メールデータ生成部４０４、音声データ生成部４０６、出力部４０８および画像データ消去部４１０から構成される。
【００３６】
制御部４００は、処理内容記憶部２２４に記憶された処理内容に応じて、通知ページ作成部４０２または電子メールデータ生成部４０４を起動する。
つまり、処理内容が、ファクシミリ送信を示す場合には、通知ページ作成部４０２を起動し、電子メール送信を示す場合には、電子メールデータ生成部４０４を起動する。
また、制御部４００は、設定記憶部２１２を参照し、音声にて通知を行うように通知モードが設定されていた場合には、音声データ生成部４０６を起動する。
また、制御部４００は、出力部４０８がデータを送信部２３２に出力した後に、画像データ消去部４１０に画像記憶部３０４に記憶されている画像データを消去させる。
また、制御部４００は、画像データ消去部４１０が画像処理プログラム３の画像記憶部３０４に記憶された画像データを消去した後に、第１の通知プログラム４０の処理が完了した旨を送信制御部２３０（図３）に対して通知する。
【００３７】
通知ページ作成部４０２は、ファクシミリによる送信が不完全に終わったことを記載した通知用のページのデータを生成し、通知データとして出力部４０８に対して出力する。
電子メールデータ生成部４０４は、電子メールによる送信が不完全に終わったことを記載したヘッダ情報を含む電子メールデータ、または、電子メールによる送信が不完全に終わったことを電子メール本文に記載した電子メールデータを生成し、通知データとして出力部４０８に対して出力する。
【００３８】
音声データ生成部４０６は、送信が不完全に終わったこと示す音声データを生成し、通知データとして出力部４０８に対して出力する。
なお、通知データには、中断された要因、送信者の情報および中断された旨などの通知情報が含まれる。
送信者の情報は、例えば、名前や連絡先などであり、認証情報から取得される。
また、中断された旨は、例えば、「追加原稿があるかもしれません」、「全ての画像データが送られていない可能性があります」、「送信予定の画像があります」などのメッセージである。
【００３９】
出力部４０８は、通知ページ作成部４０２、電子メールデータ生成部４０４および音声データ生成部４０６から入力された通知データを、送信部２３２（図３）に対して出力する。
また、出力部４０８は、通知データを送信部２３２に対して出力した旨を、制御部４００に対して通知する。
画像データ消去部４１０は、制御部４００の制御に従って、画像処理プログラム３の画像記憶部３０４に記憶された画像データを消去する。
また、画像データ消去部４１０は、画像記憶部３０４に記憶された画像データを消去した旨を制御部４００に対して通知する。
【００４０】
以下、第２の通知プログラム４２を、図６を参照して説明する。
図６は、第２の通知プログラム４２の構成を示す図である。
図６に示すように、第２の通知プログラム４２は、制御部４２０、出力部４２２、データ消去部４２４、通知ページ作成プログラム４３０、画像データ加工プログラム４４０、縮小ページ作成プログラム４５０、電子メールデータ生成プログラム４６０および音声データ生成プログラム４７０から構成される。
【００４１】
通知ページ作成プログラム４３０は、通知ページ作成部４３２および画像データ付加部４３４から構成される。
画像データ加工プログラム４４０は、画像データ付加部４４２および画像データ加工部４４４から構成される。
縮小ページ作成プログラム４５０は、縮小ページ作成部４５２および縮小ページ加工部４５４から構成される。
電子メールデータ生成プログラム４６０は、電子メールデータ生成部４６２および画像データ付加部４６４から構成される。
【００４２】
制御部４２０は、処理内容記憶部２２４に記憶された処理内容および設定記憶部２１２に記憶された通知モードに応じて、通知ページ作成プログラム４３０、画像データ加工プログラム４４０、縮小ページ作成プログラム４５０および電子メールデータ生成プログラム４６０のいずれかを起動する。
具体的には、制御部４２０は、処理内容がファクシミリ送信を示す場合には、使用者により設定された通知モードの内容に従って、通知ページ作成プログラム４３０、画像データ加工プログラム４４０および縮小ページ作成プログラム４５０のいずれかを起動する。
また、制御部４００は、処理内容が電子メール送信を示す場合には、電子メールデータ生成プログラム４６０を起動する。
【００４３】
また、制御部４２０は、設定記憶部２１２を参照し、音声にて通知を行うように通知モードが設定されていた場合には、音声データ生成プログラム４７０を起動する。
また、制御部４２０は、出力部４２２がデータを送信部２３２に出力した後に、データ消去部４２４に画像記憶部３０４（図３）に記憶されている画像データを消去させる。
また、制御部４００は、データ消去部４２４が画像処理プログラム３の画像記憶部３０４に記憶された画像データを消去した後に、第２の通知プログラム４２の処理が完了した旨を送信制御部２３０（図３）に対して通知する。
【００４４】
出力部４２２は、通知ページ作成プログラム４３０、画像データ加工プログラム４４０、縮小ページ作成プログラム４５０、電子メールデータ生成プログラム４６０および音声データ生成プログラム４７０から入力された通知データを、送信部２３２（図３）に対して出力する。
また、出力部４２２は、通知データを送信部２３２に対して出力した旨を、制御部４２０に対して通知する。
データ消去部４２４は、制御部４２０の制御に従って、画像処理プログラム３の画像記憶部３０４に記憶された画像データを消去する。
【００４５】
通知ページ作成プログラム４３０の通知ページ作成部４３２は、ファクシミリによる送信が不完全に終わったことを記載した表紙ページまたは終端ページのデータを生成し、画像データ付加部４３４に対して出力する。
画像データ付加部４３４は、通知ページ作成部４３２から入力された表示ページまたは終端ページのデータに、画像記憶部３０４に記憶された画像データを付加して、通知データとして出力部４２２に対して出力する。
【００４６】
画像データ加工プログラム４４０の画像データ付加部４４２は、画像記憶部３０４に記憶された画像データを取得し、画像データ加工部４４４に対して出力する。
画像データ加工部４４４は、画像データ付加部４４２から入力されたデータの一部を加工して、ファクシミリによる送信が不完全に終わったことを表示し、通知データとして出力部４２２に対して出力する。
【００４７】
縮小ページ作成プログラム４５０の縮小ページ作成部４５２は、画像記憶部３０４に記憶された画像データを取得して縮小イメージデータを生成し、縮小ページ加工部４５４に対して出力する。
縮小ページ加工部４５４は、縮小ページ作成部４５２から入力された縮小イメージデータの一部を加工して、ファクシミリによる送信が不完全に終わったことを表示し、通知データとして出力部４２２に対して出力する。
【００４８】
電子メールデータ生成プログラム４６０の電子メールデータ生成部４６２は、電子メールによる送信が不完全に終わったことを記載したヘッダ情報を含む電子メールデータ、または、電子メールによる送信が不完全に終わったことを電子メール本文に記載した電子メールデータを生成し、画像データ付加部４６４に対して出力する。
画像データ付加部４６４は、電子メールデータ生成部４６２から入力された電子メールデータに、画像記憶部３０４に記憶された画像データを付加して、通知データとして出力部４２２に対して出力する。
音声データ生成プログラム４７０は、送信が不完全に終わったこと示す音声データを生成し、通知データとして出力部４２２に対して出力する。
【００４９】
以下、第３の通知プログラム４８を、図７を参照して説明する。
図７は、第３の通知プログラム４８の構成を示す図である。
図７に示すように、第３の通知プログラム４８は、第２の通知プログラム４２において制御部４２０を制御部４８０に置き換え、データ消去部４２４を削除した構成を採る。
つまり、第２の通知プログラム４２では、データ消去部４２４により画像記憶部３０４（図３）に記憶された画像データが消去されたが、第３の通知プログラム４４では、画像記憶部３０４（図３）に記憶された画像データは消去されない。
したがって、送信処理を行った使用者が認証部２２０により再度認証された場合に、画像記憶部３０４（図３）に記憶されている画像データが送信される。
制御部４８０は、出力部４２２が、データを送信部２３２に対して出力をした後に、第３の通知プログラム４８の処理が完了した旨を送信制御部２３０（図３）に対して通知する。
【００５０】
以上説明した、画像送信プログラム２の処理を、図８を参照して、さらに説明する。
以下、使用者Ａが複数の原稿をファクシミリ送信させるため、宛先を入力し送信指示を実行し立ち去ってしまった際に、自動原稿送り装置が途中で故障し一部しか読み取れていない状態や、読取時にまだ読み取る原稿があるという設定されている状態（原稿の追加待ち）で、使用者Ｂが認証操作を行った場合を具体例として説明するが、これに限定されない。
【００５１】
図８は、図３に示した画像送信プログラム２の処理（Ｓ１０）を示すフローチャートである。
図８に示すように、ステップ１００（Ｓ１００）において、認証部２２０は、使用者（使用者Ｂ）を認証する。
【００５２】
ステップ１０２（Ｓ１０２）において、送信制御部２３０は、処理内容記憶部２２４に記憶されている処理内容を参照し、画像送信プログラム２が認証使用者（使用者Ｂ）と異なる使用者（使用者Ａ）の処理を行っているか否かを判断する。
画像送信プログラム２が認証使用者（使用者Ｂ）と異なる使用者（使用者Ａ）の処理を行っている場合には、画像送信プログラム２は、Ｓ１０４の処理に進み、これ以外の場合にはＳ１１４の処理に進む。
ステップ１０４（Ｓ１０４）において、送信制御部２３０は、送信部２３２および画像処理プログラム３に処理を停止させて、送信部２３２による送信処理および画像処理プログラム３による画像読み取り処理などを停止させる。
【００５３】
具体的には、使用者Ａが複数の原稿をファクシミリ送信させるため、宛先を入力し送信指示を実行し立ち去ってしまった際に、自動原稿送り装置が途中で故障し一部しか読み取れていない状態や、読取時にまだ読み取る原稿があるという設定されている状態（原稿の追加待ち状態）で、使用者Ｂが認証操作を行った場合に、使用者Ａにより実行指示されているファクシミリ送信処理が中断される。
また、上記ファクシミリ送信処理が中断される場合に、例えば、追加原稿読取動作が中断される。
なお、上述した具体例は一例であり、これに限定されない。
また、送信する画像データは、画像送信装置１０の記憶装置１０６などに記憶されているものから、使用者により選択されてもよい。
この場合、使用者Ａの画像選択中に、使用者Ｂが認証操作を行った場合に、使用者Ａにより実行指示されているファクシミリ送信処理が中断される。
【００５４】
ステップ１０６（Ｓ１０６）において、送信制御部２３０は、設定記憶部２１２を参照し、使用者毎に設定されている通知モードが、第１の通知プログラム４０、第２の通知プログラム４２および第３の通知プログラム４８のいずれかであるかを判断する。
使用者毎に設定されている通知モードが、第１の通知プログラム４０であると判断した場合には、画像送信プログラム２は、Ｓ２０の処理に進む。
使用者毎に設定されている通知モードが、第２の通知プログラム４２であると判断した場合には、画像送信プログラム２は、Ｓ３０の処理に進む。
使用者毎に設定されている通知モードが、第３の通知プログラム４８であると判断した場合には、画像送信プログラム２は、Ｓ４０の処理に進む。
【００５５】
ステップ１１０（Ｓ１１０）において、送信制御部２３０は、処理内容記憶部２２４に記憶されている情報を参照し、認証使用者に関連付けられている処理が記憶されているかを判断する。
認証使用者に関連付けられている処理が記憶されている場合には、Ｓ１１２の処理に進み、これ以外の場合にはＳ１１４の処理に進む。
ステップ１１２（Ｓ１１２）において、送信制御部２３０は、送信部２３２および画像処理プログラム３を実行させ、送信処理を行わせる。
ステップ１１４（Ｓ１１４）において、送信命令受入部２０８は、使用者Ｂの処理を受け付ける。
【００５６】
なお、ステップ１０４（Ｓ１０４）と、ステップ１０６（Ｓ１０６）との間に、画像記憶部３０４に使用者Ａの処理対象の画像が記憶されているか否かを判断する処理を設けてもよい。
この場合、画像記憶部３０４に使用者Ａの処理対象の画像が記憶されている場合には、ステップ１０６（Ｓ１０６）の処理に進み、これ以外の場合には、処理を終了する。
つまり、画像記憶部３０４に使用者Ａの処理対象の画像が記憶されていない場合は、通知プログラム４は実行されない。
また、上述した処理の例では、ステップ１００（Ｓ１００）において、使用者Ｂが認証されることにより、使用者Ａの処理が停止（中断）されたが、例えば、原稿の追加待ち状態で一定時間経った場合に、使用者Ａの処理が停止（中断）されてもよい。
【００５７】
図９は、図５に示した第１の通知プログラム４０の処理（Ｓ２０）を示すフローチャートである。
図９に示すように、ステップ２００（Ｓ２００）において、制御部４００は、処理内容記憶部２２４（図３）に記憶された処理内容を参照し、ファクシミリによる送信が実行されているか電子メールによる送信が実行されているかを判断する。
ファクシミリによる送信が実行されている場合には、Ｓ２０２の処理に進み、電子メールによる送信が実行されている場合には、Ｓ２２０の処理に進む。
【００５８】
ステップ２０２（Ｓ２０２）において、通知ページ作成部４０２は、ファクシミリによる送信が不完全に終わったことを記載した通知用のページのデータを生成し、通知データとして出力部４０８に対して出力する。
ステップ２０４（Ｓ２０４）において、制御部４００は、設定記憶部２１２を参照し、音声にて通知を行うように通知モードが設定されているか否かを判断する。  
音声にて通知を行うように通知モードが設定されている場合には、第１の通知プログラム４０は、Ｓ２０６の処理に進み、これ以外の場合には、Ｓ２０８の処理に進む。
【００５９】
ステップ２０６（Ｓ２０６）において、音声データ生成部４０６は、送信が不完全に終わったこと示す音声データを生成し、通知データとして出力部４０８に対して出力する。
ステップ２０８（Ｓ２０８）において、出力部４０８は、通知データを、送信部２３２（図３）に対して出力する。
ステップ２１０（Ｓ２１０）において、画像データ消去部４１０は、画像処理プログラム３の画像記憶部３０４に記憶された画像データを消去する。
ステップ２２０（Ｓ２２０）において、電子メールデータ生成部４０４は、電子メールによる送信が不完全に終わったことを記載したヘッダ情報を含む電子メールデータ、または、電子メールによる送信が不完全に終わったことを電子メール本文に記載した電子メールデータを生成し、通知データとして出力部４０８に対して出力する。
【００６０】
図１０は、図６に示した第２の通知プログラム４２の処理（Ｓ３０）を示すフローチャートである。
図１０に示すように、ステップ３００（Ｓ３００）において、制御部４２０は、処理内容記憶部２２４（図３）に記憶された処理内容を参照し、ファクシミリによる送信が実行されているか電子メールによる送信が実行されているかを判断する。
ファクシミリによる送信が実行されている場合には、Ｓ３０２の処理に進み、電子メールによる送信が実行されている場合には、Ｓ３６０の処理に進む。
【００６１】
ステップ３０２（Ｓ３０２）において、制御部４２０は、設定記憶部２１２に記憶された通知モードを参照し、使用者毎に設定されている通知モードが、通知ページ作成プログラム４３０、画像データ加工プログラム４４０、縮小ページ作成プログラム４５０のいずれかであるかを判断する。
使用者毎に設定されている通知モードが、通知ページ作成プログラム４３０であると判断した場合には、画像送信プログラム２は、Ｓ３０４の処理に進む。
使用者毎に設定されている通知モードが、画像データ加工プログラム４４０であると判断した場合には、画像送信プログラム２は、Ｓ３２０の処理に進む。
使用者毎に設定されている通知モードが、縮小ページ作成プログラム４５０であると判断した場合には、画像送信プログラム２は、Ｓ３４０の処理に進む。
【００６２】
ステップ３０４（Ｓ３０４）において、通知ページ作成プログラム４３０の通知ページ作成部４３２は、ファクシミリによる送信が不完全に終わったことを記載した表紙ページまたは終端ページのデータを生成し、画像データ付加部４３４に対して出力する。
ステップ３０６（Ｓ３０６）において、  画像データ付加部４３４は、通知ページ作成部４３２から入力された表示ページまたは終端ページに、画像記憶部３０４に記憶された画像データを付加して、通知データとして出力部４２２に対して出力する。
【００６３】
ステップ３０８（Ｓ３０８）において、制御部４２０は、設定記憶部２１２を参照し、音声にて通知を行うように通知モードが設定されているか否かを判断する。  
音声にて通知を行うように通知モードが設定されている場合には、第２の通知プログラム４２は、Ｓ３１０の処理に進み、これ以外の場合には、Ｓ３１２の処理に進む。
ステップ３１０（Ｓ３１０）において、音声データ生成プログラム４７０は、送信が不完全に終わったこと示す音声データを生成し、通知データとして出力部４２２に対して出力する。
ステップ３１２（Ｓ３１２）において、出力部４２２は、通知データを、送信部２３２（図３）に対して出力する。
ステップ３１４（Ｓ３１４）において、データ消去部４２４は、画像処理プログラム３の画像記憶部３０４に記憶された画像データを消去する。
【００６４】
ステップ３２０（Ｓ３２０）において、画像データ加工プログラム４４０の画像データ付加部４４２は、画像記憶部３０４に記憶された画像データを取得し、画像データ加工部４４４に対して出力する。
ステップ３２２（Ｓ３２２）において、画像データ加工部４４４は、画像データ付加部４４２から入力されたデータの一部を加工して、ファクシミリによる送信が不完全に終わったことを表示し、通知データとして出力部４２２に対して出力する。
【００６５】
ステップ３４０（Ｓ３４０）において、縮小ページ作成プログラム４５０の縮小ページ作成部４５２は、画像記憶部３０４に記憶された画像データを取得して縮小イメージデータを生成し、縮小ページ加工部４５４に対して出力する。
ステップ３４２（Ｓ３４２）において、縮小ページ加工部４５４は、縮小ページ作成部４５２から入力された縮小イメージデータの一部を加工して、ファクシミリによる送信が不完全に終わったことを表示し、通知データとして出力部４２２に対して出力する。
【００６６】
ステップ３６０（Ｓ３６０）において、電子メールデータ生成プログラム４６０の電子メールデータ生成部４６２は、電子メールによる送信が不完全に終わったことを記載したヘッダ情報を含む電子メールデータ、または、電子メールによる送信が不完全に終わったことを電子メール本文に記載した電子メールデータを生成し、画像データ付加部４６４に対して出力する。
ステップ３６２（Ｓ３６２）において、画像データ付加部４６４は、電子メールデータ生成部４６２から入力された電子メールデータに、画像記憶部３０４に記憶された画像データを付加して、通知データとして出力部４２２に対して出力する。
【００６７】
なお、上述の例では、使用者毎に設定されている通知モードにより、通知ページ作成プログラム４３０、画像データ加工プログラム４４０、縮小ページ作成プログラム４５０のいずれかが起動されて、通知動作の切り替え処理が行われたが、以下のように、通知動作が切り替えられてもよい。
例えば、画像記憶部３０４に記憶されている画像が、１ページの途中で途切れている場合には、画像データ加工プログラム４４０を起動し、画像の余白部分に中断された旨を付加してもよい。
また、例えば、画像記憶部３０４に記憶されている画像が、ページ単位では画像は完全である場合、通知ページ作成プログラム４３０を起動し、別紙（表紙など）に中断された旨を付加してもよい。
【００６８】
図１１は、図７に示した第３の通知プログラム４８の処理（Ｓ４０）を示すフローチャートである。
図１１に示すように、第３の通知プログラム４８の処理（Ｓ４０）は、図１０に示した第２の通知プログラム４２の処理（Ｓ３０）から、ステップ３１４（Ｓ３１４）を削除したフローチャートである。
つまり、第２の通知プログラム４２では、データ消去部４２４により画像記憶部３０４（図３）に記憶された画像データが消去されたが、第３の通知プログラム４８では、画像記憶部３０４（図３）に記憶された画像データは消去されない。
【００６９】
［画像送受信システム１の全体動作］
１．使用者Ａは、画像送信装置１０の外部入出力装置１１０に表示された通知モードを選択する画面により、通知モードを設定する。
２．使用者Ａは、画像送信装置１０の外部入出力装置１１０に表示された認証画面により、認証情報を入力する。
また、画像送信装置１０は、入力された認証情報に基づいて、使用者Ａを認証する。
３．使用者Ａは、画像送信装置１０の外部入出力装置１１０に表示された宛先選択画面により宛先を選択する。
４．使用者Ａは、画像送信装置１０の外部入出力装置１１０に表示された送信画面により、画像データの送信処理を開始する。
５．画像送信装置１０は、画像データの送信処理を開始する。
６．使用者Ｂは、画像送信装置１０の外部入出力装置１１０に表示された認証画面により、認証情報を入力する。
また、画像送信装置１０は、入力された認証情報に基づいて、使用者を認証する。
７．画像送信装置１０は、使用者Ａによる送信処理を停止する。
８．画像送信装置１０は、送信先の使用者に、送信処理が中断されたことを通知する。
【符号の説明】
【００７０】
１・・・画像送受信システム
１０・・・画像送信装置
１２・・・画像受信装置
１４・・・画像受信装置
１００・・・通信回線
１０２・・・ＣＰＵ
１０４・・・メモリ
１０６・・・記憶装置
１０８・・・通信装置
１１０・・・外部入出力装置
１１２・・・読取装置
１１４・・・バス
２・・・画像送信プログラム
２００・・・画面制御部
２０２・・・認証画面表示部
２０４・・・宛先表示部
２０６・・・送信画面表示部
２０８・・・送信命令受入部
２１０・・・設定画面表示部
２１２・・・設定記憶部
２２０・・・認証部
２２２・・・関連付け部
２２４・・・処理内容記憶部
２３０・・・送信制御部
２３２・・・送信部
３・・・画像処理プログラム
３００・・・画像読取部
３０２・・・画像処理部
３０４・・・画像記憶部
４・・・通知プログラム
４０・・・第１の通知プログラム
４００・・・制御部
４０２・・・通知ページ作成部
４０４・・・電子メールデータ生成部
４０６・・・音声データ生成部
４０８・・・出力部
４１０・・・画像データ消去部
４２・・・第２の通知プログラム
４２０・・・制御部
４２２・・・出力部
４２４・・・データ消去部
４３０・・・通知ページ作成プログラム
４３２・・・通知ページ作成部
４３４・・・画像データ付加部
４４０・・・画像データ加工プログラム
４４２・・・画像データ付加部
４４４・・・画像データ加工部
４５０・・・縮小ページ作成プログラム
４５２・・・縮小ページ作成部
４５４・・・縮小ページ加工部
４６０・・・電子メールデータ生成プログラム
４６２・・・電子メールデータ生成部
４６４・・・画像データ付加部
４７０・・・音声データ生成プログラム
４８・・・第３の通知プログラム
４８０・・・制御部
【図１】
0005577660.tif 000002
【図２】
0005577660.tif 000003
【図３】
0005577660.tif 000004
【図４】
0005577660.tif 000005
【図５】
0005577660.tif 000006
【図６】
0005577660.tif 000007
【図７】
0005577660.tif 000008
【図８】
0005577660.tif 000009
【図９】
0005577660.tif 000010
【図１０】
0005577660.tif 000011
【図１１】
0005577660.tif 000012